(57)【要約】【課題】  筋肉の痛みの減少及び末梢血液循環の促進を可能にする按摩装置を提供することにある。【解決手段】  筋肉の痛みの減少及び末梢血液循環の促進を可能にする按摩装置において、電力出力部１１を備える按摩動力モジュール１０と、ユーザの皮膚と接触する、第１ペースタ２１と、第２ペースタ２２と、を備える皮膚接触ユニット２０と、電力出力部１１、第１ペースタ２１及び第２ペースタ２２と電気的に接続している電力伝送具３０と、按摩動力モジュール１０と電気的に接続しており、按摩動力モジュール１０の出力動力の大きさ及び方式を調整可能なマン・マシン・インタフェース４０とを含む。【選択図】  図１
0003184919.tif 000002
【実用新案登録請求の範囲】
【請求項１】
筋肉の痛みの減少及び末梢血液循環の促進を可能にする按摩装置において、
電力出力部（１１）を備える按摩動力モジュール（１０）と、
ユーザの皮膚と接触する、第１ペースタ（２１）と、第２ペースタ（２２）と、を備える皮膚接触ユニット（２０）と、
前記電力出力部（１１）、前記第１ペースタ（２１）及び前記第２ペースタ（２２）と電気的に接続している電力伝送具（３０）と、
前記按摩動力モジュール（１０）と電気的に接続しており、前記按摩動力モジュール（１０）の出力動力の大きさ及び方式を調整可能なマン・マシン・インタフェース（４０）と、
を含むことを特徴とする按摩装置。
【請求項２】
前記按摩動力モジュール（１０）は、更に、前記マン・マシン・インタフェース（４０）と電気的に接続している中央処理ユニット（１２）と、前記中央処理ユニット（１２）と電気的に接続している、音声出力ユニット（１３）と、プログラム記憶ユニット（１４）と、定時オンオフユニット（１５）と、電力出力ユニット（１６）と、を含み、前記電力出力ユニット（１６）は前記電力出力部（１１）と電気的に接続していることを特徴とする、請求項１に記載の按摩装置。
【請求項３】
前記第１ペースタ（２１）と前記第２ペースタ（２２）とは、対向するように設けられており、ユーザに貼り付けるための二つの粘着部（２３）と、前記二つの粘着部（２３）の間に設けられている凹み部（２４）と、をそれぞれ有することを特徴とする、請求項１に記載の按摩装置。
【請求項４】
前記第１ペースタ（２１）及び前記第２ペースタ（２２）は、前記二つの粘着部（２３）の表面に設けられている二つの導電膜（２５）と、前記導電膜（２５）の前記第１ペースタ（２１）から遠ざかった側に設けられている二つの電気粘着層（２６）と、をそれぞれ有し、前記電気粘着層（２６）はユーザの皮膚と接触するためのものであることを特徴とする、請求項３に記載の按摩装置。
【請求項５】
前記皮膚接触ユニット（２０）は、更に、二つの保護膜（２７）を有し、前記二つの保護膜（２７）は、前記電気粘着層（２６）の前記第１ペースタ（２１）及び前記第２ペースタ（２２）から遠ざかった側に設けられていることを特徴とする、請求項４に記載の按摩装置。
【請求項６】
前記第１ペースタ（２１）及び前記第２ペースタ（２２）は、前記二つの導電膜（２５）と電気的に接続している二つの導電接点（２３１）をそれぞれ有し、前記電力伝送具（３０）は、前記粘着部（２３）に設けられた前記導電接点（２３１）と電気的に接続している、二つの第１延び連接ワイヤ（３１）と、二つの第２延び連接ワイヤ（３２）と、を有することを特徴とする、請求項４に記載の按摩装置。
【考案の詳細な説明】
【技術分野】
【０００１】
本考案は、按摩装置に関し、特に、筋肉の痛みの減少及び末梢血液循環の促進を可能にする按摩装置に関するものである。
【背景技術】
【０００２】
現在、人々は、生活のストレス、仕事の習慣及び運動傷害などにより、首及び肩部が痛み、腰部及び背部が凝り、筋肉が硬くなって、日常生活に影響がでている。このため、人々は、マッサージ師によるマッサージによって、上記の問題を解決する。しかし、このような方式によれば、肌の外層の角質が厚くなり、長期になると、マッサージの押圧力を増加しないとマッサージの効果がなくなってしまい、そしてマッサージ師のマッサージ費が高く、時間を割いてマッサージを行うことも必要であるため、理想な方式とは言えない。
【考案の概要】
【考案が解決しようとする課題】
【０００３】
本考案の主な目的は、従来のマッサージにより、肌の外層の角質が厚くなり、長期になると、マッサージの押圧力を増加することが必要であり、そして皮膚の滑らかさが低下するという問題を解決可能な按摩装置を提供することにある。
【０００４】
本考案の他の目的は、マッサージ師のマッサージ費が高く、時間を割いてマッサージを行うことも必要であるという問題を解決可能な按摩装置を提供することにある。
【課題を解決するための手段】
【０００５】
本考案の按摩装置によると、筋肉の痛みの減少及び末梢血液循環の促進を可能にする按摩装置において、電力出力部１１を備える按摩動力モジュール１０と、ユーザの皮膚と接触する、第１ペースタ２１と、第２ペースタ２２と、を備える皮膚接触ユニット２０と、電力出力部１１、第１ペースタ２１及び第２ペースタ２２と電気的に接続している電力伝送具３０と、按摩動力モジュール１０と電気的に接続しており、按摩動力モジュール１０の出力動力の大きさ及び方式を調整可能なマン・マシン・インタフェース４０とを含むことを特徴とする。
【０００６】
本考案の按摩装置によると、按摩動力モジュール１０は、更に、マン・マシン・インタフェース４０と電気的に接続している中央処理ユニット１２と、中央処理ユニット１２と電気的に接続している音声出力ユニット１３と、プログラム記憶ユニット１４と、定時オンオフユニット１５と、電力出力ユニット１６とを含み、電力出力ユニット１６は電力出力部１１と電気的に接続していることを特徴とする。
【０００７】
本考案の按摩装置によると、第１ペースタ２１と第２ペースタ２２とは、対向するように設けられており、ユーザに貼り付けるための二つの粘着部２３と、二つの粘着部２３の間に設けられている凹み部２４とをそれぞれ有することを特徴とする。
【０００８】
本考案の按摩装置によると、第１ペースタ２１及び第２ペースタ２２は、二つの粘着部２３の表面に設けられている二つの導電膜２５と、導電膜２５の第１ペースタ２１から遠ざかった側に設けられている二つの電気粘着層２６と、をそれぞれ有し、電気粘着層２６はユーザと接触するためのものであることを特徴とする。
【０００９】
本考案の按摩装置によると、皮膚接触ユニット２０は、更に、二つの保護膜２７を有し、二つの保護膜２７は、電気粘着層２６の第１ペースタ２１及び第２ペースタ２２から遠ざかった側に設けられていることを特徴とする。
【００１０】
本考案の按摩装置によると、第１ペースタ２１及び第２ペースタ２２は、二つの導電膜２５と電気的に接続している二つの導電接点２３１をそれぞれ有し、電力伝送具３０は、粘着部２３に設けられた導電接点２３１と電気的に接続している、二つの第１延び連接ワイヤ３１と、二つの第２延び連接ワイヤ３２と、を有することを特徴とする。
【考案の効果】
【００１１】
本考案の按摩装置によれば、次のような効果がある。
（１）皮膚接触ユニット及び按摩動力モジュールを設けることにより、低周波按摩を行うことが可能であり、筋肉の痛みの減少及び末梢血液循環の促進が可能となる。
（２）マン・マシン・インタフェースを操作することにより、按摩動力モジュールの出力動力の大きさ及び方式を調整可能であり、個人的な状況に合せることが可能である。
（３）凹み部を設けることにより、第１ペースタと第２ペースタとの撓み性を増加可能であり、ユーザに良く貼り付けることが可能となる。
【図面の簡単な説明】
【００１２】
【図１】本考案の一実施例の構造を示す斜視図である。
【図２】本考案の一実施例の構造を示すブロック図である。
【図３】本考案の一実施例の皮膚接触ユニットを示す分解斜視図である。
【考案を実施するための形態】
【００１３】
以下、本考案の実施の形態を図面に基づいて説明する。
図１を参照する。図１は本考案の一実施例の構造を示す斜視図である。本考案の一実施例の按摩装置は、按摩動力モジュール１０と、皮膚接触ユニット２０と、電力伝送具３０と、按摩動力モジュール１０と電気的に接続しているマン・マシン・インタフェース４０と、を含む。按摩動力モジュール１０は電力出力部１１を含む。皮膚接触ユニット２０は、ユーザの皮膚と接触する、第１ペースタ２１と、第２ペースタ２２とを含む。電力伝送具３０は、電力出力部１１、第１ペースタ２１及び第２ペースタ２２と電気的に接続している。マン・マシン・インタフェース４０は、按摩動力モジュール１０の出力動力の大きさ及び方式を調整可能である。
【００１４】
図２を参照する。図２は本考案の一実施例の構造を示すブロック図である。按摩動力モジュール１０は、更に、マン・マシン・インタフェース４０と電気的に接続している中央処理ユニット１２と、中央処理ユニット１２と電気的に接続している音声出力ユニット１３と、プログラム記憶ユニット１４と、定時オンオフユニット１５と、電力出力ユニット１６とを含む。電力出力ユニット１６は電力出力部１１と電気的に接続している。音声出力ユニット１３により、提示音声が発生されてユーザの操作の補助となる。プログラム記憶ユニット１４には、複数の低周波運動プログラムが記憶されている。中央処理ユニット１２にプログラム記憶ユニット１４を合せることにより、異なる低周波運動モードの出力を行うことが可能である。プログラムの設計により、電圧の周期、大きさ及び位置などを制御可能であり、このように、押圧、振動及び叩きなどの按摩効果を達成可能である。定時オンオフユニット１５により、按摩の時間を調整可能であり、設定された時間に電源を切ることが可能であり、これにより、按摩時間が長すぎることを回避可能である。このように、利用が極めて便利である。
【００１５】
図３を参照する。図３は本考案の一実施例の皮膚接触ユニットを示す分解斜視図である。第１ペースタ２１と第２ペースタ２２とは、対向するように設けられており、ユーザに貼り付けるための二つの粘着部２３と、二つの粘着部２３の間に設けられている凹み部２４と、二つの粘着部２３の表面に設けられている二つの導電膜２５と、導電膜２５の第１ペースタ２１から遠ざかった側に設けられている二つの電気粘着層２６とをそれぞれ有する。電気粘着層２６は、ユーザの皮膚と接触するためのものである。凹み部２４を設けることにより、第１ペースタ２１と第２ペースタ２２との撓み性を増加可能であり、これによって、ユーザの皮膚に良く貼り付けることが可能である。導電膜２５により、電力出力部１１の電力を平面全体に伝導可能である。電気粘着層２６は、導電性を有し、その粘性によりユーザの皮膚に粘着可能である。これによって、導電膜２５の電力をユーザの皮膚に伝導することが可能である。電気粘着層２６が長期に利用されると、ユーザの汗やゴミなどにより粘性が失ってしまう。本考案では、導電膜２５と電気粘着層２６が分離可能であり、すなわち、電気粘着層２６を交換可能である。一方、皮膚接触ユニット２０は、更に、二つの保護膜２７を有する。二つの保護膜２７は、電気粘着層２６の第１ペースタ２１及び第２ペースタ２２から遠ざかった側に設けられており、電気粘着層２６に貼り付け可能である。本考案の按摩装置を利用しないときには、電気粘着層２６に保護膜２７を貼り付けることにより、ホコリやゴミなどから電気粘着層２６を保護可能であり、ひいては電気粘着層２６の寿命を延長可能である。
【００１６】
図１に示すように、粘着部２３の導電膜２５から遠ざかった側に導電接点２３１が設けられている。電力伝送具３０は、粘着部２３に設けられた導電接点２３１と電気的に接続している二つの第１延び連接ワイヤ３１と、二つの第２延び連接ワイヤ３２とを有する。このため、電力出力部１１からの電力は、電力伝送具３０を経由して、第１ペースタ２１と第２ペースタ２２とに出力される。第１ペースタ２１と第２ペースタ２２をそれぞれ正負極にする。第１ペースタ２１と第２ペースタ２２とは、それぞれ二つの粘着部２３を有するため、より大きい按摩面積を有することが可能である。特に説明したいのは、本実施例では、電力出力部１１が二つあるため、二つの部位を同時に按摩することが可能であり、利用が極めて便利である。
【００１７】
以上のように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１８】
本考案は、按摩装置に適用することができる。
【符号の説明】
【００１９】
１０  按摩動力モジュール
１１  電力出力部
１２  中央処理ユニット
１３  音声出力ユニット
１４  プログラム記憶ユニット
１５  定時オンオフユニット
１６  電力出力ユニット
２０  皮膚接触ユニット
２１  第１ペースタ
２２  第２ペースタ
２３  粘着部
２４  凹み部
２５  導電膜
２６  電気粘着層
２７  保護膜
３０  電力伝送具
３１  第１延び連接ワイヤ
３２  第２延び連接ワイヤ
４０  マン・マシン・インタフェース
２３１  導電接点
【図１】
0003184919.tif 000003
【図２】
0003184919.tif 000004
【図３】
0003184919.tif 000005